(57)【特許請求の範囲】
【請求項１】
光源と、
波長制御特性を有し、前記光源によって照射された光を当該波長制御特性に応じて波長制御して出射する第一波長制御部材と、
前記第一波長制御部材によって照射された光を波長制御して出射する、前記第一波長制御部材に着脱自在に取り付けられる第二波長制御部材とを備え、
前記光源が発光している間、前記第二波長制御部材の波長制御特性の劣化は、前記第一波長制御部材の波長制御特性の劣化よりも速く進行する
発光装置。
【請求項２】
前記第二波長制御部材は、劣化の程度が調整されていることにより、前記第一波長制御部材によって所定の条件で光が照射されたときに、波長制御特性が徐々に低下し、所定時間経過後にほぼ消失する劣化特性を有する
請求項１に記載の発光装置。
【請求項３】
前記第二波長制御部材は、
基材と、
前記基材に含まれる、前記第一波長制御部材によって照射された光により励起されて光を発する発光材とを有し、
前記劣化の程度は、前記基材に含まれる前記発光材の量によって調整されている
請求項２に記載の発光装置。
【請求項４】
前記発光材は、蛍光体または蛍光色素である
請求項３に記載の発光装置。
【請求項５】
前記第二波長制御部材は、
基材と、
前記基材に含まれる、前記第一波長制御部材によって照射された光の一部の波長成分を吸収する光吸収材とを有し、
前記劣化の程度は、前記基材に含まれる前記光吸収材の量によって調整されている
請求項２に記載の発光装置。
【請求項６】
前記光吸収材は、有機色素または無機系の光吸収材である
請求項５に記載の発光装置。
【請求項７】
前記第二波長制御部材は、前記第二波長制御部材の基材の表面に設けられたコーティング膜を有し、当該コーティング膜により前記劣化の程度が調整されている
請求項２に記載の発光装置。
【請求項８】
前記劣化の程度は、前記第二波長制御部材の基材の厚みによって調整されている
請求項２に記載の発光装置。
【請求項９】
前記第二波長制御部材の基材は、前記劣化の程度を調整するための添加材を含み、
前記劣化の程度は、前記基材に含まれる前記添加材の量によって調整されている
請求項２に記載の発光装置。
【請求項１０】
前記第二波長制御部材は、前記第一波長制御部材に着脱自在に取り付けられる
請求項１〜９のいずれか１項に記載の発光装置。
【請求項１１】
前記第二波長制御部材は、人体に直接接触する
請求項１〜１０のいずれか１項に記載の発光装置。
【請求項１２】
前記光源は、レーザ光源を含む
請求項１〜１１のいずれか１項に記載の発光装置。
【発明の詳細な説明】
【技術分野】
【０００１】
本発明は、発光スペクトルの変更が可能な発光装置等に関する。
【背景技術】
【０００２】
近年、ＬＥＤ（Ｌｉｇｈｔ  Ｅｍｉｔｔｉｎｇ  Ｄｉｏｄｅ）等の発光素子を用いた様々な装置が提案されている。例えば、特許文献１には、ＬＥＤ等の発光素子を光源として使用した、生物の育成装置が開示されている。
【先行技術文献】
【特許文献】
【０００３】
【特許文献１】特開２０１０−４８６９号公報
【発明の概要】
【発明が解決しようとする課題】
【０００４】
特許文献１に記載の育成装置において、発光制御装置は発光装置を電気的に制御することにより、発光スペクトルを制御することができる。ここで、一時的に発光装置の発光スペクトルを変更したいような場合、発光スペクトルの変更の実現方法には検討の余地がある。
【０００５】
本発明は、発光スペクトルの一時的な変更を容易に実現できる発光装置、波長制御デバイス、発光デバイス、及び、発光装置の製造方法を提供する。
【課題を解決するための手段】
【０００６】
本発明の一態様に係る発光装置は、光源と、波長制御特性を有し、前記光源によって照射された光を当該波長制御特性に応じて波長制御して出射する波長制御部材とを備え、前記波長制御部材は、前記光源によって光が照射されたときの前記波長制御特性の劣化の程度が調整されている。
【０００７】
本発明の一態様に係る波長制御デバイスは、波長制御特性を有し、照射された光を当該波長制御特性に応じて波長制御して出射する波長制御部材を備え、前記波長制御部材は、光が照射されたときの前記波長制御特性の劣化の程度が調整されている。
【０００８】
本発明の一態様に係る発光デバイスは、使用により劣化する発光部材であって、前記劣化の程度が調整された発光部材を備える。
【０００９】
本発明の一態様に係る発光装置の製造方法は、発光装置の製造方法であって、前記発光装置は、光源と、波長制御特性を有し、前記光源によって照射された光を当該波長制御特性に応じて波長制御して出射する波長制御部材とを備え、前記製造方法は、前記光源によって光が照射されたときの、前記波長制御部材の前記波長制御特性の劣化の程度を調整するステップを含む。
【発明の効果】
【００１０】
本発明の発光装置は、発光スペクトルの一時的な変更を容易に実現できる。
【図面の簡単な説明】
【００１１】
【図１】図１は、実施の形態１に係る発光装置の外観斜視図である。
【図２】図２は、実施の形態１に係る発光装置の模式断面図である。
【図３】図３は、発光モジュールの外観斜視図である。
【図４Ａ】図４Ａは、実施の形態１に係る発光装置の使用例を説明するための第一の図である。
【図４Ｂ】図４Ｂは、実施の形態１に係る発光装置の使用例を説明するための第二の図である。
【図４Ｃ】図４Ｃは、実施の形態１に係る発光装置の使用例を説明するための第三の図である。
【図５】図５は、変形例に係る波長制御部材の光の透過率の経時変化を示す図である。
【図６】図６は、変形例に係る波長制御部材を備える発光装置の発光スペクトルの経時変化を示す図である。
【図７】図７は、変形例に係る波長制御部材に含まれるテトラアザポルフィリン系の色素の残存率の推移を示す図である。
【図８】図８は、波長制御部材の波長制御特性の劣化の程度の調整方法のフローチャートである。
【図９】図９は、実施の形態２に係る発光装置の外観図である。
【図１０】図１０は、ユーザの指に装着された状態の、実施の形態２に係る発光装置の外観図である。
【図１１】図１１は、実施の形態２に係る発光装置の模式断面図である。
【図１２】図１２は、ユーザの指に装着された波長制御デバイスの模式断面図である。
【図１３】図１３は、ユーザの指に装着された発光デバイスの模式断面図である。
【図１４】図１４は、実施の形態３に係る発光装置の概略構成を示す図である。
【発明を実施するための形態】
【００１２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略または簡略化される場合がある。
【００１４】
（実施の形態１）
［全体構成］
以下、実施の形態１に係る発光装置の構成について説明する。図１は、実施の形態１に係る発光装置の外観斜視図である。図２は、実施の形態１に係る発光装置の模式断面図である。図２は、より詳細には、実施の形態１に係る発光装置を、長手方向（Ｙ軸方向）に垂直な平面（Ｚ−Ｘ平面）において切断した場合の模式断面図である。
【００１５】
また、以下の説明では、図中のＺ軸＋側を「上側」、図中のＺ軸−側を「下側」と表現する。
【００１６】
図１に示される発光装置１０は、壁または天井などの構造物に取り付けられる長尺状の発光装置であり、照明用途に用いられる。発光装置１０は、発光モジュール２０と、カバー３０と、波長制御部材５０と、基台４０と、電源部７０と、制御部８０とを備える。なお、カバー３０及び基台４０は、発光モジュール２０を収容する外郭筐体としても機能する。以下、各構成要素について詳細に説明する。
【００１７】
［発光モジュール］
まず、発光モジュール２０について、図１及び図２に加えてさらに図３を参照しながら説明する。図３は、発光モジュール２０の外観斜視図である。
【００１８】
発光モジュール２０は、光源の一例であって、長手方向に沿って複数配置される。つまり、発光装置１０は、発光モジュール２０を複数備える。
【００１９】
図３に示されるように、発光モジュール２０は、表面実装（ＳＭＤ：Ｓｕｒｆａｃｅ  Ｍｏｕｎｔ  Ｄｅｖｉｃｅ）型の発光モジュールである。発光モジュール２０は、基板２１と、基板２１上に一列に実装された複数のＬＥＤ素子２２と、配線２３と、コネクタ２４と、コネクタ２５とを備える。
【００２０】
基板２１は、長尺矩形状の基板である。基板２１は、樹脂を基材とするＣＥＭ−３（Ｃｏｍｐｏｓｉｔｅ  Ｅｐｏｘｙ  Ｍａｔｅｒｉａｌ−３）基板であるが、その他の樹脂基板であってもよいし、メタルベース基板またはセラミック基板であってもよい。その他の樹脂基板としては、ＦＲ−４（Ｆｌａｍｅ  Ｒｅｔａｒｄａｎｔ−４）基板が例示される。セラミック基板としては、酸化アルミニウム（アルミナ）からなるアルミナ基板または窒化アルミニウムからなる窒化アルミニウム基板等が例示される。また、メタルベース基板としては、アルミニウム合金基板、鉄合金基板または銅合金基板等が例示される。
【００２１】
基板２１は、長手方向が基台４０の長手方向と平行となり、長手方向と直交する短手方向が基台４０の短手方向と平行となるように基台４０にねじ止めされる。なお、図３では、上記ねじが挿通される、基板２１に設けられたねじ挿通孔については、図示が省略されている。
【００２２】
基板２１の第一主面は、カバー３０と対向する主面（Ｚ軸−側の主面）であり、当該第一主面には、複数のＬＥＤ素子２２が長手方向に沿って一列に実装される。基板２１の第一主面には、白色レジストが設けられている。より詳細には、基板２１の基材の表面は、当該表面よりも光反射性の高い光反射部材である白色レジストで部分的に覆われている。基板２１の表面のうち、白色レジストが設けられていない領域においては、ＬＥＤ素子２２、コネクタ２４、及びコネクタ２５を実装するために配線２３が露出している。
【００２３】
基板２１の第一主面と反対側の主面である第二主面（Ｚ軸＋側の主面）は、基台４０に面接触する。なお、基板２１の第二主面と、基台４０との間には、放熱シリコーンなどの放熱部材が設けられてもよい。
【００２４】
ＬＥＤ素子２２は、いわゆるＳＭＤ型の素子であり、白色光を発する。ＬＥＤ素子２２は、パッケージ２２ａと、パッケージ２２ａの凹部底面に実装されたＬＥＤチップ２２ｂと、パッケージ２２ａの凹部に充填され、ＬＥＤチップ２２ｂを封止する封止部材２２ｃとを備える。また、ＬＥＤ素子２２は、ＬＥＤ素子２２を基板２１に実装するための金属端子（図示せず）を備える。
【００２５】
パッケージ２２ａは、非透光性樹脂（白樹脂等）で成型された容器であり、逆円錐台形状の凹部（キャビティ）を備える。凹部の内側面は傾斜面であり、ＬＥＤチップ２２ｂからの光を下方（Ｚ軸−方向）に反射させるように構成されている。
【００２６】
ＬＥＤチップ２２ｂは、発光素子の一例であって、単色の可視光を発するベアチップであり、ダイアタッチ材（ダイボンド材）によってパッケージ２２ａの凹部の底面にダイボンディング実装されている。ＬＥＤチップ２２ｂは、例えば、青色光を発光する青色ＬＥＤチップである。青色ＬＥＤチップは、より具体的には、ＩｎＧａＮ系の材料によって構成された、中心波長が４３０ｎｍ以上４８０ｎｍ以下の窒化ガリウム系の半導体発光素子である。
【００２７】
封止部材２２ｃは、蛍光体粒子を含む透光性樹脂材であって、ＬＥＤチップ２２ｂからの光を波長変換するとともに、ＬＥＤチップ２２ｂを封止してＬＥＤチップ２２ｂを保護する。封止部材２２ｃは、パッケージ２２ａの凹部に充填されており、当該凹部の開口面まで封入されている。
【００２８】
透光性樹脂材としては、例えば、シリコーン樹脂が用いられるが、エポキシ樹脂またはユリア樹脂などが用いられてもよい。また、蛍光体粒子には、例えば、イットリウム・アルミニウム・ガーネット（ＹＡＧ）系の黄色の蛍光体粒子（以下、黄色蛍光体とも記載する）が採用される。実施の形態１では、演色性を高めることを目的として、透光性樹脂材には、赤色の蛍光体粒子（以下、赤色蛍光体とも記載される）が含まれる。赤色蛍光体は、例えば、（Ｓｒ，Ｃａ）ＡｌＳｉＮ３：Ｅｕ２＋蛍光体、及び、ＣａＡｌＳｉＮ３：Ｅｕ２＋蛍光体などの窒化物からなる蛍光体である。なお、透光性樹脂材には、緑色の蛍光体粒子（以下、緑色蛍光体とも記載する）などがさらに含まれてもよい。緑色蛍光体は、例えば、Ｙ３（Ａｌ，Ｇａ）５Ｏ１２：Ｃｅ３＋蛍光体、または、Ｌｕ３Ａｌ５Ｏ１２：Ｃｅ３＋蛍光体である。
【００２９】
黄色蛍光体は、ＬＥＤチップ２２ｂが発する青色光によって励起されて黄色光を発する。赤色蛍光体は、ＬＥＤチップ２２ｂが発する青色光によって励起されて赤色光を発する。このため、封止部材２２ｃからは、励起された黄色光及び赤色光とＬＥＤチップ２２ｂが発する青色光とが混ざって白色光が放出される。
【００３０】
配線２３は、タングステン（Ｗ）または銅（Ｃｕ）等からなる金属配線である。配線２３は、複数のＬＥＤ素子２２同士を電気的に接続するとともにＬＥＤ素子２２とコネクタ２４及びコネクタ２５とを電気的に接続するために所定形状にパターン形成されている。なお、配線２３は、コネクタ２４及びコネクタ２５を用いて複数の発光モジュール２０が物理的に接続されると、複数の発光モジュール２０が電気的に並列接続されるようにパターン形成されている。
【００３１】
コネクタ２４及びコネクタ２５は、一の発光モジュール２０を他の発光モジュール２０と電気的に接続するためのコネクタである。一の発光モジュール２０のコネクタ２４は、Ｙ軸−方向の隣に配置された発光モジュール２０のコネクタ２５と接続用のリード線などにより電気的に接続される。また、一の発光モジュール２０のコネクタ２５は、Ｙ軸＋方向の隣に配置された発光モジュール２０のコネクタ２４と接続用のリード線などにより電気的に接続される。そして、例えば、複数の発光モジュール２０のうち、Ｙ軸方向の端に位置する発光モジュール２０のコネクタ（コネクタ２４またはコネクタ２５）には、電源部７０から直流電力が供給される。これにより、複数の発光モジュール２０が発光する。
【００３２】
［カバー］
カバー３０（グローブ）は、複数の発光モジュール２０からの光を拡散させる。カバー３０は、長尺円筒の一部が長手方向（管軸方向）に沿って切り欠かれた形状（略半円筒形状）であり、頂点が下側に位置するように湾曲している。なお、詳細については図示されないが、カバー３０は、短手方向（Ｘ軸方向）の端部が基台４０にスライド挿入されるなどにより、基台４０に取り付けられる。カバー３０は、発光モジュール２０及び波長制御部材５０を覆う。
【００３３】
カバー３０は、例えば、アクリル樹脂等からなる透明樹脂材を基材として形成され、発光モジュール２０が発する光を透過させる。つまり、カバー３０は、透光性を有する。なお、カバー３０は、ガラスまたはポリカーボネート樹脂などで形成されてもよい。
【００３４】
また、カバー３０の基材は、シリコーン樹脂及びシリカなどの光拡散材を含有する。これにより、カバー３０は、光拡散機能を有する。
【００３５】
なお、カバー３０は、例えば、カバー３０の内面及び外面の少なくとも一方にレンズ状の構造物、または、凹部もしくは凸部が形成されることにより、光拡散機能を有してもよい。また、カバー３０は、例えば、カバー３０の内面及び外面の少なくとも一方にドットパターンが印刷されることにより、光拡散機能を有してもよい。
【００３６】
［波長制御部材］
波長制御部材５０は、発光モジュール２０とカバー３０との間に配置された、光学部材である。波長制御部材５０は、波長制御特性を有し、発光モジュール２０によって照射された光を当該波長制御特性に応じて波長制御して出射する。つまり、発光モジュール２０が出射した光は、波長制御部材５０を透過することにより波長制御され、その後、カバー３０に入射する。なお、発光モジュール２０が出射した光は、波長制御部材５０において反射されてもよい。つまり、波長制御部材５０は、透過型の光学部材であってもよいし、反射型の光学部材であってもよい。
【００３７】
波長制御部材５０は、例えば、厚みが１ｍｍ以上〜５ｍｍ以下程度の長尺矩形板状であるが、その他の形状であってもよい。波長制御部材５０は、短手方向（Ｘ軸方向）の端部が基台４０の基板２１の載置面から突出した保持部４１が有する溝にスライド挿入されるなどにより、基台４０に、着脱自在に取り付けられる。保持部４１は、波長制御部材５０を着脱自在に保持する保持部材の一例である。なお、保持部材は、ねじまたは粘着テープなどであってもよく、特に限定されない。
【００３８】
波長制御部材５０は、具体的には、基材５１と、基材５１に含まれる、発光モジュール２０によって照射された光により励起されて光を発する発光材５２とを有する。この場合、波長制御部材５０は、波長変換部材として機能する。
【００３９】
基材５１は、例えば、アクリル樹脂、ポリカーボネート樹脂、及び、エポキシ樹脂等からなる透明樹脂材である。発光材５２は、例えば、発光のピーク波長が４７０ｎｍ以上５３０ｎｍ以下の光を発する有機系の蛍光色素である。発光材５２は、ＬＥＤチップ２２ｂから発せられる青色光（発光モジュール２０から発せられる白色光の青色成分）によって励起されて発光する。
【００４０】
なお、発光材５２は、特に限定されない。発光材５２は、蛍光体であってもよい。この場合、上述した封止部材２２ｃに含まれるような無機系の蛍光体が用いられてもよいし、有機系の蛍光体または量子ドット蛍光体（発光体）が用いられてもよい。
【００４１】
また、発光材５２は、他の有機系の蛍光色素、または、無機系の蛍光色素であってもよい。有機系の蛍光色素としては、ペリレン系、クマリン系、ピリジン系、または、オキサジン系の蛍光色素が例示される。
【００４２】
波長制御部材５０は、発光モジュール２０によって光が照射されたときの波長制御特性の劣化の程度が調整されている。より具体的には、波長制御部材５０は、発光モジュール２０によって所定の条件で発光が照射されたときに、波長制御特性が低下し、かつ、所定時間経過後に波長制御特性がほぼ消失するように、劣化の程度が調整されている。つまり、波長制御部材５０の寿命が調整されている。ここでの調整には、劣化を意図的に促進させる調整と、劣化を意図的に遅らせる調整との両方が含まれる。
【００４３】
上記所定の条件は、上記所定時間経過後に波長制御特性がほぼ消失するように適宜定められればよい。所定の条件は、例えば、発光モジュール２０が波長制御部材５０に照射する光のエネルギー密度が一定値であるという条件を含む。
【００４４】
［基台、電源部、及び、制御部］
基台４０は、Ｙ軸方向に長い角筒状の筐体であり、内部に電源部７０を収容する。また、基台４０は、発光装置１０の構造物への取り付けに用いられ、かつ、発光モジュール２０の取り付け台及びヒートシンクとしても機能する。基台４０は、具体的には、アルミニウムによって形成されるが、鉄またはアルミダイキャストで形成されてもよい。
【００４５】
電源部７０は、発光装置１０に供給される交流電力を、発光モジュール２０が発光するために適した直流電力に変換して出力する電源回路である。電源部７０は、具体的には、基板と、当該基板に実装された回路部品とからなる。回路部品には、例えば、電解コンデンサもしくはセラミックコンデンサ等の容量素子、抵抗素子、コイル素子、チョークコイル（チョークトランス）、ノイズフィルタ、及び、ダイオードもしくは集積回路素子等の半導体素子等が含まれる。
【００４６】
制御部８０は、電源部７０から出力される直流電力の、発光モジュール２０への供給を制御する制御回路である。制御部８０は、例えば、発光モジュール２０に供給される電力を調整するチョッパ制御回路である。チョッパ制御回路は、具体的には、ＰＷＭ（Ｐｕｌｓｅ  Ｗｉｄｔｈ  Ｍｏｄｕｌａｔｉｏｎ）回路や、ＰＦＭ（Ｐｕｌｓｅ  Ｆｒｅｑｕｅｎｃｙ  Ｍｏｄｕｌａｔｉｏｎ）回路などである。
【００４７】
［発光装置の使用例］
波長制御部材５０は、発光モジュール２０によって光が照射されたときの波長制御特性の劣化の程度が調整されている。発光装置１０が使用されていくと、波長制御部材５０が有する発光材５２が劣化により徐々に機能しなくなるため、発光装置１０の発光スペクトルが変化する。
【００４８】
以下、発光装置１０の使用例について説明する。図４Ａ〜図４Ｃは、発光装置１０の使用例を説明するための図である。なお、図４Ａ〜図４Ｃは、この順に発光装置１０の発光スペクトルの経時的な変化を示す図である。図４Ａ〜図４Ｃに示される発光スペクトルは、模式的に示されており、正確に示されたものではない。
【００４９】
一般に、色温度の低い白色光が照明光として用いられることで、人（ユーザ）の生活活性度を高めることが知られている。ここで、図４Ａに示されるように、心身の状態が優れない人に対して、いきなり色温度の低い照明光が用いられることは有効ではない。このような場合は、徐々に照明光の色温度を低くしていくことにより、徐々に生活活性度を高めていくことが有効である。いきなり色温度の低い照明光が用いられると、心身の状態が優れない人に大きな環境変化を与えてしまい、病状が悪化することが懸念されるからである。
【００５０】
上述のように、発光材５２は、例えば、４７０ｎｍ以上５３０ｎｍ以下の光を発する有機系の蛍光色素である。図４Ａに示されるように、発光装置１０の使用開始当初は、発光材５２の発光により、発光装置１０の発光スペクトルにおいて、青色、青緑色、及び緑色等の成分が多くなる。
【００５１】
ここで、図４Ｂに示されるように、発光装置１０の継続使用により、発光材５２に起因する青色、青緑色、及び緑色等の成分は、発光材５２の劣化により低下する。つまり、波長制御部材５０の波長制御特性は、低下し、徐々に照明光の色温度が低くなる。そして、図４Ｃに示されるように、最後には、波長制御部材５０の波長制御特性はほぼ消失する。
【００５２】
このように、発光装置１０は、波長制御部材５０の劣化の程度が調整されていることにより、発光スペクトルを経時変化させることができる。また、波長制御部材５０の機能の消失後は、ユーザは、発光装置１０を通常の照明としてそのまま継続使用可能である。なお、図４Ａ〜図４Ｃの例では、発光装置１０の使用開始から波長制御部材５０の波長制御特性が消失するまでの期間は、例えば、３ヶ月から６ヶ月程度である。このような期間は、医師などの専門家と相談の上、決定されるとよい。
【００５３】
また、黄疸の症状が出ている新生児に青色光及び緑色光を照射する光線療法が知られているが、発光装置１０は、このような光線療法にも使用できる。例えば、発光装置１０の使用開始から波長制御部材５０の波長制御特性が消失するまでの期間が１週間程度とされれば、１週間程度、新生児に青色光及び緑色光の強い照明光を照射することができる。その後、ユーザは、発光装置１０を通常の照明としてそのまま使用することができる。
【００５４】
また、波長制御部材５０の機能の消失後に、発光装置１０にもう一度、波長制御部材５０の機能を付与したい場合がある。このような場合、波長制御部材５０は、保持部４１に着脱自在に保持されているので、ユーザは、機能が消失した波長制御部材５０を新品の波長制御部材５０に交換することができる。また、ユーザは、保持部４１に保持されている波長制御部材５０を、発光材５２の種類が異なる波長制御部材５０（波長制御特性が異なる波長制御部材５０）に交換することもできる。
【００５５】
なお、発光装置１０の用途は、上記のような治療用途に限定されない。例えば、発光装置１０は、発光スペクトルが経時変化する演出用照明装置として使用されてもよい。
【００５６】
［波長制御部材の変形例］
上記実施の形態１では、波長制御部材５０の基材５１には、発光モジュール２０から照射された光により励起されて光を発する発光材５２が含まれた。ここで、基材５１には、発光材５２に加えて、または、発光材５２に代えて、光吸収材が含まれてもよい。この場合、波長制御部材５０は、波長吸収変換部材として機能する。
【００５７】
光吸収材は、発光モジュール２０によって照射された光の一部の波長成分を吸収する材料である。光吸収材は、例えば、有機色素また無機系の吸収材である。
【００５８】
有機色素は、例えば、銅（Ｃｕ）、ニッケル（Ｎｉ）、及びコバルト（Ｃｏ）などの金属元素を含むテトラアザポルフィリン系の色素である。波長制御部材５０は、このような色素により、主として５８５ｎｍ以上５９５ｎｍ以下の波長成分を吸収する波長制御特性を有してもよい。以下、テトラアザポルフィリン系の色素を含む波長制御部材５０（以下、変形例に係る波長制御部材とも記載する）の劣化について図５〜図７を用いて説明する。
【００５９】
図５は、変形例に係る波長制御部材５０の光の透過率の経時変化を示す図である。図６は、変形例に係る波長制御部材５０を備える発光装置１０の発光スペクトルの経時変化を示す図である。図７は、変形例に係る波長制御部材５０に含まれるテトラアザポルフィリン系の色素の残存率の推移を示す図である。なお、図７の残存率は、全色素に占める、５８５ｎｍ以上５９５ｎｍ以下の波長成分を吸収する特性（波長制御特性）が有効な色素の割合を意味し、使用開始当初は１００％である。また、以下の変形例の説明では、発光モジュール２０から発せられる光の発光スペクトルは、上記実施の形態１で説明されたものと異なる。
【００６０】
図５〜図７に示されるデータの測定に用いられたテトラアザポルフィリン系の色素を含む波長制御部材５０は、所定の条件で発光モジュール２０から光の照射を受け続けた場合に、９０日の経過後に波長制御特性がほぼ消失するように劣化の程度が調整されている。なお、波長制御特性がほぼ消失するとは、例えば、光吸収材（または発光材５２）の残存率が１０％よりも小さい所定値以下となることを意味する。波長制御特性がほぼ消失すると、波長制御部材５０は、透明な板状の部材と同等になる。
【００６１】
図５に示されるように、波長制御部材５０の、５８５ｎｍ以上５９５ｎｍ以下の波長の光に対する透過率は、日を追うごとに上昇する。言い換えれば、波長制御部材５０の、５８５ｎｍ以上５９５ｎｍ以下の光の吸収機能は、日を追うごとに低下している。
【００６２】
したがって、図６に示されるように、発光装置１０の発光スペクトルのうち、５８５ｎｍ以上５９５ｎｍ以下の光の発光強度は、日を追うごとに上昇する。
【００６３】
このような波長制御部材５０の透過率の変化、及び、発光装置１０の発光スペクトルの変化は、色素の残存率の低下によるものであることが図７から分かる。つまり、波長制御部材５０の透過率の変化、及び、発光装置１０の発光スペクトルの変化は、波長制御部材５０の波長制御特性の劣化によるものである。
【００６４】
以上説明したように、波長制御部材５０は、劣化の程度が調整されていることにより、発光モジュール２０によって所定の条件で光が照射されたときに、波長制御特性が徐々に低下し、所定時間経過後にほぼ消失する特性を有する。
【００６５】
［劣化の程度の調整方法］
波長制御部材５０の波長制御特性の劣化の程度は、以下のような各種方法を用いて調整が可能である。以下、波長制御部材５０の波長制御特性の劣化の程度の調整方法について説明する。
【００６６】
発光材５２は、発光モジュール２０が照射する光によって励起されることによって徐々に劣化していく。したがって、発光材５２の劣化の程度の調整においては、発光モジュール２０の光の照射条件が考慮される。具体的には、１日当たりの照射時間、照射強度などが考慮される。
【００６７】
また、発光材５２の劣化は、これ以外に、発光モジュール２０によって照射される光による波長制御部材５０の発熱の影響が考えられる。
【００６８】
また、発光モジュール２０が発する光及び空気中の酸素による劣化（酸化）も考えられる。ここで、発光材５２の劣化の程度は、このような酸素の影響を利用して調整することができる。
【００６９】
例えば、劣化の程度は、波長制御部材５０の基材５１の厚みを変更することによって調整されてもよい。基材５１の厚みが厚くなると、酸素は、基材５１の表層に位置する発光材５２を劣化させるが、基材５１の中心部に位置する発光材５２については劣化させにくい。したがって、基材５１の厚みが厚くなるほど、波長制御部材５０の劣化を抑制し、寿命を延ばすことができる。
【００７０】
このような厚みの調整は、具体的には、基材５１に、後からコーティング膜が設けられることにより調整されてもよい。つまり、コーティング膜により劣化の程度が調整されてもよい。コーティング膜は、例えば、アクリル樹脂、ポリカーボネート樹脂、及び、エポキシ樹脂等である。コーティング膜は、基材５１と同じ材料によって形成されてもよい。
【００７１】
このように、基材５１にコーティング膜を設けることで、（工法的に）容易に劣化の程度の調整を行うことができる。なお、コーティング膜に発光材５２が含まれてもよい。
【００７２】
また、劣化の程度は、基材５１に含まれる発光材５２の量によって調整されてもよい。基材５１に含まれる発光材５２の量（発光材５２の濃度（密度））が多くなると、酸素は、基材５１の表層に位置する発光材５２を劣化させるが、基材５１の中心部に位置する発光材５２については劣化させにくい。したがって、基材５１に含まれる発光材５２の量が多いほど、波長制御部材５０の劣化を抑制し、寿命を延ばすことができる。
【００７３】
なお、波長制御部材５０の基材５１に光吸収材が含まれる場合には、劣化の程度は、基材５１に含まれる光吸収材の量によって調整されてもよい。この場合、波長制御部材５０の基材５１に発光材５２が含まれるときと同様の理由により、基材５１に含まれる光吸収材の量が多いほど、波長制御部材５０の劣化を抑制し、寿命を延ばすことができる。
【００７４】
また、基材５１は、劣化の程度を調整するための添加材を含み、劣化の程度は、基材５１に含まれる上記添加材の量によって調整されてもよい。
【００７５】
具体的には、波長制御部材５０の基材５１には、基材５１の変質を抑制する、紫外線吸収剤（ＵＶＡ：Ｕｌｔｒａｖｉｏｌｅｔ  Ａｂｓｏｒｂｅｒ）、光安定剤（ＨＡＬＳ：Ｈｉｎｄｅｒｅｄ  Ａｍｉｎｅ  Ｌｉｇｈｔ  Ｓｔａｂｉｌｉｚｅｒ）などの添加材が含まれてもよい。波長制御部材５０の基材５１には、基材５１の変質を抑制するクエンチャーなどの添加材が含まれてもよい。
【００７６】
これにより、基材５１の変質が抑制されるため、波長制御部材５０の劣化を抑制し、寿命を延ばすことができる。
【００７７】
なお、波長制御部材５０の劣化の程度は、波長制御部材５０を構成する材料の組成の変更、基材５１として使用される材料の選択、及び、発光材５２（または光吸収材）として使用される材料の選択などによっても調整可能である。
【００７８】
以上、波長制御部材５０の波長制御特性の劣化の程度の調整方法について説明した。波長制御部材５０の波長制御特性の劣化の程度は、上述した方法を１つ以上用いて実験的または経験的に調整されるとよい。
【００７９】
以下、波長制御部材５０の波長制御特性の劣化の程度の調整方法の一例についてフローチャートを用いて説明する。図８は、波長制御部材５０の波長制御特性の劣化の程度の調整方法のフローチャートである。なお、図８に示される調整方法は、例えば、発光装置１０の製造方法の一部の工程として行われる。
【００８０】
図８に示される調整方法においては、まず、発光装置１０の使用時に想定される、発光モジュール２０からの波長制御部材５０への光の照射条件を決定する（Ｓ１１）。
【００８１】
次に、決定された照射条件下における、波長制御パラメータと、波長制御部材５０（波長制御特性）の寿命との関係が特定される（Ｓ１２）。ここでの寿命は、波長制御特性が所定値以下となるまでの期間（波長制御特性がほぼ消失するまでの期間）を意味する。
【００８２】
波長制御パラメータは、上述した、基材５１の厚み、基材５１中の発光材５２（または光吸収材）の量、及び、基材５１中の添加材の量などである。例えば、波長制御パラメータとして基材５１の厚みが用いられる場合、基材５１の厚みが異なる波長制御部材５０を試作し、ステップＳ３１において決定された照射条件下における、試作された波長制御部材５０それぞれの寿命試験（加速試験など）を行う。これにより、基材５１の厚みと、波長制御特性が所定値以下となるまでの期間との関係（グラフなど）が特定される。
【００８３】
最後に、特定された関係に基づいて、所望の劣化特性（波長制御特性がほぼ消失するまでの期間）を実現するための波長制御パラメータが決定される（Ｓ１３）。
【００８４】
［実施の形態１のまとめ］
以上説明したように、実施の形態１に係る発光装置１０は、発光モジュール２０と、波長制御特性を有し、発光モジュール２０によって照射された光を当該波長制御特性に応じて波長制御して出射する波長制御部材５０とを備える。発光モジュール２０は、光源の一例である。
【００８５】
波長制御部材５０は、発光モジュール２０によって光が照射されたときの波長制御特性の劣化の程度が調整されている。
【００８６】
このような発光装置１０は、波長制御特性の劣化により、発光スペクトルを変更することができる。発光装置１０は、発光モジュール２０を電気的に制御して調色を行うような構成に比べて、簡単に発光スペクトルを変更することができる。つまり、発光装置１０は、発光スペクトルの一時的な変更を容易に実現できる。
【００８７】
また、波長制御部材５０は、劣化の程度が調整されていることにより、発光モジュール２０によって所定の条件で光が照射されたときに、波長制御特性が徐々に低下し、所定時間経過後にほぼ消失する劣化特性を有してもよい。
【００８８】
これにより、発光装置１０は、所定時間の間、波長制御部材５０によって発光スペクトルを変更することができる。
【００８９】
また、波長制御部材５０は、例えば、基材５１と、基材５１に含まれる、発光モジュール２０によって照射された光により励起されて光を発する発光材５２とを有する。このとき、劣化の程度は、基材５１に含まれる発光材５２の量によって調整されていてもよい。
【００９０】
このように、波長制御部材５０の波長制御特性の劣化の程度は、基材５１に含まれる発光材５２の量によって調整することができる。
【００９１】
また、発光材５２は、蛍光体または蛍光色素である。
【００９２】
このように、波長制御部材５０は、蛍光体または蛍光色素によって波長制御特性を有することができる。
【００９３】
また、波長制御部材５０は、例えば、基材５１と、基材５１に含まれる、発光モジュール２０によって照射された光の一部の波長成分を吸収する光吸収材とを有する。このとき、劣化の程度は、基材５１に含まれる光吸収材の量によって調整されていてもよい。
【００９４】
このように、波長制御部材５０の波長制御特性の劣化の程度は、基材５１に含まれる光吸収材の量によって調整することができる。
【００９５】
また、光吸収材は、有機色素または無機系の光吸収材であってもよい。
【００９６】
このように、波長制御部材５０は、有機色素または無機系の光吸収材によって波長制御特性を有することができる。
【００９７】
また、波長制御部材５０は、波長制御部材５０の基材５１の表面に設けられたコーティング膜を有し、当該コーティング膜により劣化の程度が調整されていてもよい。
【００９８】
このように、波長制御部材５０の波長制御特性の劣化の程度は、基材５１の表面に設けられたコーティング膜によって調整することができる。
【００９９】
また、劣化の程度は、波長制御部材５０の基材５１の厚みによって調整されていてもよい。
【０１００】
このように、波長制御部材５０の波長制御特性の劣化の程度は、基材５１の厚みによって調整することができる。
【０１０１】
また、波長制御部材５０の基材５１は、劣化の程度を調整するための添加材を含んでもよい。劣化の程度は、基材５１に含まれる添加材の量によって調整されていてもよい。
【０１０２】
このように、波長制御部材５０の波長制御特性の劣化の程度は、基材５１に含まれる添加材の量によって調整することができる。
【０１０３】
また、発光装置１０は、さらに、波長制御部材５０を着脱自在に保持する保持部４１を備えてもよい。保持部４１は、保持部材の一例である。
【０１０４】
これにより、ユーザは、保持部４１に保持されている波長制御部材５０を、別の波長制御部材５０に交換するができる。
【０１０５】
また、発光装置１０の製造方法は、発光モジュール２０によって光が照射されたときの、波長制御部材５０の波長制御特性の劣化の程度を調整するステップを含む。
【０１０６】
このような製造方法は、発光スペクトルの一時的な変更が容易な発光装置１０を製造できる。
【０１０７】
（実施の形態２）
［全体構成］
上記実施の形態１では、発光装置は、ベースライトに用いられると説明された。しかしながら、本発明の発光装置は、シーリングライト、及び、直管形ランプなど、その他の照明装置としても実現できる。
【０１０８】
また、本発明の発光装置は、照明用途以外に用いられてもよい。実施の形態２では、照明以外の用途に用いられる発光装置について説明する。
【０１０９】
図９は、実施の形態２に係る発光装置の外観図である。図１０は、ユーザの指に装着された状態の、実施の形態２に係る発光装置の外観図である。
【０１１０】
発光装置１０ａは、傷の治療に用いられる発光装置であって、図１０に示されるように、人の指に装着される。発光装置１０ａは、光源２０ａと、波長制御部材５０ａと、支持部材４０ａと、ベルト４２ａとを備える。
【０１１１】
光源２０ａは、波長制御部材５０ａに向けて白色光を発する光源である。光源２０ａは、実施の形態１のＬＥＤ素子２２のように、ＬＥＤチップ２２ｂと、封止部材２２ｃとが組み合わされることにより形成されてもよいし、有機ＥＬ（Ｅｌｅｃｔｒｏ  Ｌｕｍｉｎｅｓｃｅｎｃｅ）等であってもよい。
【０１１２】
波長制御部材５０ａは、シート状に形成される。波長制御部材５０ａは、基材に赤色蛍光体が含まれることにより、光源２０ａによって照射される光の一部を赤色光に変換する。赤色蛍光体は、例えば、（Ｓｒ，Ｃａ）ＡｌＳｉＮ３：Ｅｕ２＋蛍光体、及び、ＣａＡｌＳｉＮ３：Ｅｕ２＋蛍光体などの窒化物からなる蛍光体である。なお、波長制御部材５０ａは、光源２０ａが照射する光に含まれる赤色の光を相対的に強めるのであれば、赤色蛍光体に変えて、他の発光体または吸収体を含んでもよい。
【０１１３】
波長制御部材５０ａは、ユーザの指に沿うように湾曲された状態で支持部材４０ａの保持部４１ａに保持される。保持部４１ａは、保持部材の一例であって、支持部材４０ａのうち、波長制御部材５０ａの端部が挿入される溝を形成する部分である。波長制御部材５０ａは、着脱可能である。
【０１１４】
支持部材４０ａは、光源２０ａと、波長制御部材５０ａと、ベルト４２ａとを一体的に支持する部材である。支持部材４０ａは、例えば、樹脂により形成される。支持部材４０ａには、ボタン型の電池を保持するための電池保持部４３ａを備える。
【０１１５】
電池保持部４３ａ（支持部材４０ａ）は、電池保持部材の一例であり、光源２０ａは、電池保持部４３ａに保持された電池から供給される電力を用いて発光する。
【０１１６】
ベルト４２ａは、発光装置１０ａをユーザ（人）の体に装着するための装着部材の一例である。ベルト４２ａは、可撓性を有し、ユーザの指に巻きつけられる。
【０１１７】
以下、発光装置１０ａの動作について、図１１を用いて説明する。図１１は、発光装置１０ａの模式断面図である。なお、図１１では、発光装置１０ａの構成要素のうち、光源２０ａ及び波長制御部材５０ａのみが図示されている。
【０１１８】
図１１に示されるように、光源２０ａが発する白色光の一部は、波長制御部材５０ａに含まれる赤色蛍光体を励起し、励起された赤色蛍光体は、赤色光を発する。したがって、波長制御部材５０ａからユーザの指９０に向けては、赤色光が強められた光が照射される。
【０１１９】
赤色光は、傷９１の治癒促進に効果があることが知られている。したがって、発光装置１０ａは、ユーザの指９０の傷９１の治癒を促進することができる。
【０１２０】
ここで、波長制御部材５０ａがユーザの指に直接接触するような場合、波長制御部材５０ａは、衛生上、使用後に廃棄されるほうがよい。つまり、波長制御部材５０ａは、使い捨てされる場合がある。そうすると、使用期間以上に波長制御部材５０ａの波長制御特性が持続する必要はない。そこで、波長制御部材５０ａは、光源２０ａによって所定の条件で光が照射されたときに、波長制御特性が徐々に劣化し、所定時間経過後にほぼ消失するように劣化の程度が調整されている。この場合の所定時間は、例えば、１週間である。
【０１２１】
このような発光装置１０ａは、発光スペクトルの一時的な変更を容易に実現できる。
【０１２２】
なお、上記所定時間（劣化の程度）が異なる複数種類の波長制御部材５０ａが用意されていれば、傷の程度に応じて種類の異なる波長制御部材５０ａを使用することができる。この場合、傷が重傷であるほど、上記所定時間が長い波長制御部材５０ａが使用されるとよい。
【０１２３】
なお、フィルム状の波長制御部材５０ａのみが、波長制御デバイスとして使用されてもよい。図１２は、ユーザの指９０に装着された波長制御デバイスの模式断面図である。
【０１２４】
図１２に示される波長制御デバイス１５０は、いわゆる絆創膏のような態様で使用されるデバイスであり、波長制御部材５０ａを備える。波長制御部材５０ａは、照射された自然光（ａｖａｉｌａｂｌｅ  ｌｉｇｈｔ）を波長制御特性に応じて波長制御して出射する。波長制御部材５０ａは、自然光が照射されたときの波長制御特性の劣化の程度が調整されている。
【０１２５】
このように、波長制御部材５０ａは、単体で波長制御デバイス１５０として使用されてもよい。波長制御デバイス１５０は、電源を必要としないため、発光装置１０ａに比べて簡素に構成できる利点がある。
【０１２６】
また、フィルム状の光源である、赤色光を発する発光部材のみが、発光デバイスとして使用されてもよい。図１３は、ユーザの指９０に装着された発光デバイスの模式断面図である。
【０１２７】
図１３に示される発光デバイス１２０は、いわゆる絆創膏のような態様で使用されるデバイスであり、発光部材１２０ａを備える。発光部材１２０ａは、例えば、赤色光を発する有機ＥＬなどによって形成される。発光部材１２０ａは、可撓性を有し、ユーザの指９０に沿って屈曲可能である。なお、発光部材１２０ａの電源は、シート状の量子電池などが用いられるとよい。
【０１２８】
発光部材１２０ａは、使用により劣化し、当該劣化の程度が調整されている。発光部材１２０ａの劣化の程度は、発光部材１２０ａの材料組成などによって調整可能である。電池が用いられる場合には、発光部材１２０ａの劣化の程度は、電池の容量を調整することによっても調整可能である。
【０１２９】
このように、発光部材１２０ａは、単体で発光デバイス１２０として使用されてもよい。
【０１３０】
［実施の形態２のまとめ］
以上説明したように、発光装置１０ａは、発光装置１０ａを人体に装着するためのベルト４２ａを備える。ベルト４２ａは、装着部材の一例である。
【０１３１】
これにより、発光装置１０ａを人の体に装着することができる。
【０１３２】
また、発光装置１０ａは、さらに、電池を保持する電池保持部４３ａを備えてもよい。電池保持部４３ａは、電池保持部材の一例である。このとき、光源２０ａは、電池保持部４３ａに保持された電池から供給される電力を用いて発光する。
【０１３３】
これにより、発光装置１０ａを電池で動作させることができる。
【０１３４】
また、波長制御デバイス１５０は、波長制御特性を有し、照射された光を当該波長制御特性に応じて波長制御して出射する波長制御部材５０ａを備え、波長制御部材５０ａは、光が照射されたときの波長制御特性の劣化の程度が調整されている。
【０１３５】
これにより、発光装置１０と同様の効果が得られる。
【０１３６】
また、発光デバイス１２０は、使用により劣化する発光部材１２０ａであって、劣化の程度が調整された発光部材１２０ａを備える。
【０１３７】
このような発光デバイス１２０は、劣化の程度が調整されていることにより、一時的な光源として使用できる。
【０１３８】
（実施の形態３）
［全体構成］
実施の形態３では、さらに別の形態の発光装置について説明する。図１４は、実施の形態３に係る発光装置の概略構成を示す図である。
【０１３９】
実施の形態３に係る発光装置１０ｂは、実施の形態２に係る発光装置１０ａと同様に、ユーザの傷の治療に用いられる。発光装置１０ｂは、病院などに設置される据え置き型の発光装置１０ｂであり、複数のユーザに対して使用される点が発光装置１０ａと異なる。
【０１４０】
図１４に示されるように、実施の形態３に係る発光装置１０ｂは、光源２０ｂを備える。光源２０ｂは、レーザ光源２６と、光ファイバ２７と、第一波長制御部材２８とを有する。発光装置１０ｂは、第一波長制御部材２８と着脱される第二波長制御部材５０ｂを備える。
【０１４１】
レーザ光源２６は、青色または青紫色のレーザ光を出射するレーザ光源である。レーザ光源２６には、例えば、青色または青紫色の半導体レーザが用いられる。レーザ光源２６が用いられることにより、対象に局所的に光を照射することができる。つまり、レーザ光源２６によれば、傷の治療などに適した光源２０ｂが実現される。
【０１４２】
光ファイバ２７は、レーザ光源２６が出射したレーザ光を第一波長制御部材２８に誘導する。
【０１４３】
第一波長制御部材２８は、光ファイバ２７によって誘導されたレーザ光の一部を波長制御する。第一波長制御部材２８は、例えば、アクリル樹脂に黄色蛍光体及び赤色蛍光体が添加されることによって形成される。黄色蛍光体及び赤色蛍光体はレーザ光によって励起されて光を発する。
【０１４４】
第一波長制御部材２８からは、光ファイバ２７によって誘導されたレーザ光と、赤色蛍光体が発する赤色光と、黄色蛍光体が発する黄色光とが混ざることにより、白色光が発せられる。
【０１４５】
なお、第一波長制御部材２８は、劣化の程度が調整されていない。言い換えれば、第一波長制御部材２８は、劣化が促進するように形成されていない。第一波長制御部材２８は、光源２０ｂの一部として恒久的に使用される。
【０１４６】
第二波長制御部材５０ｂは、第一波長制御部材２８（光源２０ｂ）によって照射された光を波長制御して出射する。第二波長制御部材５０ｂは、例えば、アクリル樹脂に赤色蛍光体が添加されることによって形成される。
【０１４７】
第二波長制御部材５０ｂは、第一波長制御部材２８（光源２０ｂ）に着脱自在に取り付けられる。第二波長制御部材５０ｂが光源２０ｂに取り付けられた状態において、光源２０ｂが発する白色光の一部は、第二波長制御部材５０ｂに含まれる赤色蛍光体を励起し、赤色蛍光体は、赤色光を発する。したがって、第二波長制御部材５０ｂからは、赤色光が強められた光が照射される。
【０１４８】
赤色光は、傷の治癒促進に効果があることが知られている。したがって、第二波長制御部材５０ｂがユーザの傷の箇所に取り付けられた状態で光源２０ｂが発光することにより、発光装置１０ｂは、ユーザの傷の治癒を促進することができる。
【０１４９】
ここで、上述のように、発光装置１０ｂは、複数のユーザの傷の治療に使用されることが想定される。第二波長制御部材５０ｂがユーザに直接接触するような場合、第二波長制御部材５０ｂは、衛生上、使用後に廃棄されるほうがよい。つまり、他のユーザに使用されるときには、使用済みの第二波長制御部材５０ｂは、新しい第二波長制御部材５０ｂに取り換えられるほうがよい。このように、第二波長制御部材５０ｂは、衛生状態を考えると使い捨てされるほうがよい。
【０１５０】
そうすると、一人のユーザの使用期間以上に第二波長制御部材５０ｂの波長制御特性が持続する必要はない。そこで、第二波長制御部材５０ｂは、光源２０ｂによって所定の条件で光が照射されたときに、波長制御特性が徐々に劣化し、所定時間経過後にほぼ消失するように劣化の程度が調整されている。
【０１５１】
このような発光装置１０ｂは、発光スペクトルの一時的な変更を容易に実現できる。
【０１５２】
［実施の形態３のまとめ］
以上説明した発光装置１０ｂが備える光源２０ｂは、レーザ光源２６を含む。
【０１５３】
これにより、発光装置１０ｂは、対象に局所的に光を照射することができる。
【０１５４】
（その他の実施の形態）
以上、実施の形態について説明したが、本発明は、このような実施の形態に限定されるものではない。
【０１５５】
例えば、上記実施の形態では、発光モジュールには、ＳＭＤ型の発光モジュールであるとして説明されたが、このような態様に限定されない。例えば、光源として、ＣＯＢ（Ｃｈｉｐ  Ｏｎ  Ｂｏａｒｄ）構造の発光モジュールが用いられてもよい。ＣＯＢ構造の発光モジュールにおいては、基板上にＬＥＤチップが直接実装され、当該ＬＥＤチップが蛍光体粒子を含有する透光性樹脂材によって封止される。また、ＬＥＤチップと、当該ＬＥＤチップと離れた位置に配置された蛍光体粒子を含む樹脂部材とを有するリモートフォスファー型の発光モジュールが光源として用いられてもよい。
【０１５６】
また、上記実施の形態では、発光モジュールには、発光素子としてＬＥＤチップが用いられたが、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が発光素子として用いられてもよい。
【０１５７】
また、本発明は、システムまたは方法として実現されてもよい。例えば、本発明は、発光装置の製造方法（波長制御部材または発光部材の劣化の度合いの調整方法）として実現されてもよい。
【０１５８】
また、本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１５９】
１０、１０ａ、１０ｂ  発光装置
２０  発光モジュール（光源）
２０ａ、２０ｂ  光源
２６  レーザ光源
４１、４１ａ  保持部（保持部材）
４２ａ  ベルト（装着部材）
４３ａ  電池保持部（電池保持部材）
５０、５０ａ  波長制御部材
５０ｂ  第二波長制御部材（波長制御部材）
１２０  発光デバイス
１２０ａ  発光部材
１５０  波長制御デバイス
【図１】
0006695067.tif 000002
【図２】
0006695067.tif 000003
【図３】
0006695067.tif 000004
【図４Ａ】
0006695067.tif 000005
【図４Ｂ】
0006695067.tif 000006
【図４Ｃ】
0006695067.tif 000007
【図５】
0006695067.tif 000008
【図６】
0006695067.tif 000009
【図７】
0006695067.tif 000010
【図８】
0006695067.tif 000011
【図９】
0006695067.tif 000012
【図１０】
0006695067.tif 000013
【図１１】
0006695067.tif 000014
【図１２】
0006695067.tif 000015
【図１３】
0006695067.tif 000016
【図１４】
0006695067.tif 000017